(57)【要約】      （修正有）【課題】枕を提供する。【解決手段】枕は、第一部分１及び第二部分を含み、第一部分１が、頭部の支持部分及び首部の支持部分を含み、第二部分が第一部分１の下方又は内部に設置され、第一部分１に支持を提供して、第二部分の材料の硬度が第一部分より大きい。一つの実施例によって、第一部分１の形状は、首部の支持部分が突起され、頭部の支持部分が落ち込まれ、首部の支持部分の水平高さが頭部の支持部分より高いのである。頭部の支持部分及び首部の支持部分がそれぞれ左及び右へ延びて、第一水平支持部分１２及び第二水平支持部分１３が形成される。第一水平支持部分１２が、頭部の支持部分より高い。第二水平支持部分１３が、首部の支持部分及び第一水平支持部分１２より高い。この枕は、睡眠者の頸椎の湾曲に良い支持及び保護する役割を果たして、睡眠者の肩及び首部が良い休みを得ることに有利となる。【選択図】図５
0003201160.tif 000002
【実用新案登録請求の範囲】
【請求項１】
第一部分及び第二部分を含み、前記第一部分が、頭部の支持部分及び首部の支持部分を含み、前記第二部分が前記第一部分の下方又は内部に設置され、前記第一部分を支持し、前記第二部分の材料の硬度が第一部分より大きいことを特徴とする枕。
【請求項２】
前記首部の支持部分の水平高さが前記頭部の支持部分より高くて、前記頭部の支持部分の両側からそれぞれ延びて、第一水平支持部分が形成され、前記首部の支持部分の両側からそれぞれ延びて、第二水平支持部分が形成され、前記第一水平支持部分及び前記第二水平支持部分の高さが、前記首部の支持部分より高いことを特徴とする、請求項１に記載の枕。
【請求項３】
前記首部の支持部分は、第一首部の支持部分及び第二首部の支持部分を含み、前記第一首部の支持部分が、前記頭部の支持部分の側面に設置され、傾斜突起部を有して、前記第二首部の支持部分が、前記頭部の支持部分の第一首部の支持部分と反対する側面に設置され、傾斜突起部を有して、前記第一首部の支持部分の傾斜突起部の傾きが、前記第二首部の支持部分の傾斜突起部の傾きと異なることを特徴とする、請求項２に記載の枕。
【請求項４】
前記第二水平支持部分の一つの側面が内側の斜下方に延び、もう一つの側面が、外側の斜下方に延び、あるいは、前記首部の支持部分は、第一首部の支持部分及び第二首部の支持部分を含み、前記第一首部の支持部分が、前記頭部の支持部分の側面に設置され、傾斜突起部を有して、かつ両側に延びて、前記第二水平支持部分が形成され、前記第二首部の支持部分が、前記頭部の支持部分の前記第一首部の支持部分と反対する側面に設置され、傾斜突起部を有して、かつ両側に延びて、第三水平支持部分が形成され、前記第一首部の支持部分の傾斜突起部の傾きが、前記第二首部の支持部分の傾斜突起部の傾きと異なり、前記第二水平支持部分及び前記第三水平支持部分のうち、一つが内側の斜下方に延び、もう一つが外側の斜下方に延びることを特徴とする、請求項３に記載の枕。
【請求項５】
さらに、第三部分を含み、該第三部分が、第一表面及び第二表面を含み、前記第三部分の第一表面が前記頭部の支持部分に設置される時には、前記第二表面が前記第一水平支持部分及び前記第二水平支持部分と同一の水平線上に位置されることを特徴とする、請求項１〜４のいずれか一項に記載の枕。
【請求項６】
前記第一部分と前記第二部分とが取り外しのできることを特徴とする、請求項１〜５のいずれか一項に記載の枕。
【請求項７】
前記第二部分は、本体部分を含み、該本体部分が、頭部の支持部分、首部の支持部分及び水平支持部分からなるハウジングを含み、空洞が前記ハウジングの内部に設置されることを特徴とする、請求項１〜６のいずれか一項に記載の枕。
【請求項８】
前記空洞には、コンパートメントが形成され、前記コンパートメントが、前記ハウジングの内側から下方に延びてグリルで構成されることを特徴とする、請求項７に記載の枕。
【請求項９】
前記第二部分は、更に底板を含み、前記底板と前記ハウジングとが結合して、前記ハウジングの内部を密封し、前記コンパートメントが前記底板に設置されることを特徴とする請求項８に記載の枕。
【請求項１０】
枕の高さを調節する高度調節装置をさらに含み、前記高度調節装置が、前記本体部分又は前記第二部分の底板に設置されることを特徴とする請求項８に記載の枕。
【請求項１１】
前記第三部分の前記第一表面が、人体の腰椎の形状と適応する形状に形成されることを特徴とする請求項５に記載の枕。
【考案の詳細な説明】
【技術分野】
【０００１】
本考案は、寝具に関し、特に新型の枕に関する。
【背景技術】
【０００２】
今、人々は生活の質を高めることを重視するにもかかわらず、設計が良くない枕が人々に及ぼす危害が、人々に知られていない。一日の中では、人々が少なくとも５時間〜８時間に枕に頼って、５時間〜８時間に頸椎が曲がって変形され、筋肉が長く時間に非正常に引っ張られるので、積もり積もって、奇形になる。頸椎の形状が変化するので、筋肉及び靱帯が引っ張られ、頚椎椎間板が圧迫される。従って、筋肉及び靱帯が、損害され、癒着され、カルシウム化され、頸椎椎間板が突出して、神経血管が圧迫されることなどの疾病になる。適切な枕が人々の睡眠質量を高めることに有利して、人々の頭部及び首部を良く支持することができ、長時間にわたって疲れる首部分に休息を与えることができる。
【０００３】
従って、従来、人々によって多種の枕が研究されている。例えば、特許文献１は、気体を充填することを通じて、枕の高さを増加させて、高さを調節することができる枕が開示されている。しかしながら、気体が流れているので、睡眠者の頸椎が気嚢を有する部分に接触すると、頸椎の周りの気体が頸椎神経を圧迫して、睡眠者に不快感を及ぼす。
【０００４】
特許文献２は、枕が開示されている。上表面が、前面の厚さが後面の厚さより小さい傾斜状に形成される。枕の後面の肩と接触する位置に設置される弧形の辺が、人体の脊椎の生理的な弧度に適応する。しかしながら、人体の頭部の形状、長さ及び肩の幅などが異なるので、この枕は相応して調節することができなく、機能も改善する必要がある。
【先行技術文献】
【特許文献】
【０００５】
【特許文献１】中国特許第０２２３６２１９．３号公報
【特許文献２】中国特許第０２２１９２７３．５号公報
【考案の概要】
【考案が解決しようとする課題】
【０００６】
また、従来の枕は一般的に袋体及び充填物又は柔らかい材料で製造される。薬物を充填物として袋体の内部に密封することを通じて、薬枕を製造することができるにもかかわらず、機能が単一であり、薬物自身も頭部及び首部からの圧力を受けるので、時間が長いと、薬物が砕かれる。
【課題を解決するための手段】
【０００７】
本考案は、従来技術の少なくとも一つの欠点を解決し、又は改善することができる枕を提供する。例えば、睡眠する時には、使用者の頭部及び首部を良好に支持し、ある程度において、頸椎に良いゆるみが得られるようにすることができる枕を提供する。
【０００８】
前記目的を実現するために、本考案の一つの実施例が提供される枕は、第一部分及び第二部分を含み、前記第一部分が、頭部の支持部分及び首部の支持部分を含み、前記第二部分が前記第一部分の下方又は内部に設置され、前記第一部分に支持を提供して、前記第二部分の材料の硬度が第一部分より大きい。
【０００９】
これによって、第一部分が第二部分に支持され、使用者の頭部及び首部に良く、人体の生理的な曲線に適応する支持を提供することができる。第二部分が柔軟性及び強度が良く、人体に無害する材料を採用して製造するので、変形しにくく、強度及び硬度が優れて、頭部及び首部を長時間、支持することができる。第一部分が、柔らかく、人体に無害する材料を採用して製造するので、第一部分と直接、接触する使用者の頭部及び首部に快適で、人体の生理的な曲線に適応する支持が得られるようにすることができる。また、第二部分の内部に薬物を収容することもできるので、ある薬物の機能を有する枕を便利に製造するとともに、薬物が長時間に使用された後、砕かれることを防止できる。
【００１０】
ある実施例において、首部の支持部分の水平高さが頭部の支持部分より高くて、頭部の支持部分の両側からそれぞれ延びて、第一水平支持部分が形成され、首部の支持部分の両側からそれぞれ延びて、第二水平支持部分が形成され、第一水平支持部分及び第二水平支持部分の高さが、首部の支持部分より高い。これによって、使用者が首部の支持部分にあおむけに寝る時、あるいは、第一水平支持部分及び第二水平支持部分に側寝る時には、頭部及び首部を良好に支持することができる。
【００１１】
考案者が長時間研究して、異なる人の睡眠姿勢が異なり、ある人が側寝る時には、体を曲げて、首を縮めて寝ることが好きで、ある人が側寝る時には、首をあおむけて寝ることが好きなことを、発見した。異なる人によって異なる枕を設計することが一つの選択であるが、金型及び製造コストが増加する。同じ枕で異なる睡眠習慣及び体を持つ使用者に適応することは、今、研究されていない課題である。
【００１２】
従って、本考案者が次の構成を提供する。首部の支持部分は、第一首部の支持部分及び第二首部の支持部分を含み、第一首部の支持部分が、第一傾斜突起部を有して、第二首部の支持部分が、頭部の支持部分の第一首部の支持部分と反対する側面に設置され、第二傾斜突起部を有して、前記第一傾斜突起部の傾きが、第二傾斜突起部の傾きと異なる。
【００１３】
前記構成の優れる点は、傾斜突起部を含む第一首部の支持部分又は第二首部の支持部分が首部をもっと良好に支持することができることである。そして、異なる傾きを有する傾斜の設計を採用するので、異なる長さの頸椎を持つ人に適用される。
【００１４】
また、第二水平支持部分の一つの側面が内側に延び、もう一つの側面が、外側に延びる。第一首部の支持部分及び第二首部の支持部分がそれぞれ延び、第二水平支持部分及び該第二水平支持部分より高い第三水平支持部分が形成される時には、第二水平支持部分及び第三水平支持部分のうち、一つが内側の斜下方に底部まで延び、もう一つが外側の斜下方に底部まで延びる。
【００１５】
前記構成によって、側寝る時には、首を縮めて寝ることが好きな人が、内側の斜下方に延びる側面に頼ることができ、首及び肩が内側の斜下方に延びる第二水平支持部分又は第三水平支持部分とぴったりと合わせることができるので、頭部及び首部にぴったり合わせる支持を提供することができる。側寝る時には、首をあおむけて寝ることが好きな人が、外側に延びる側面に頼ることができ、首及び肩が外側に延びる第二水平支持部分又は第三水平支持部分とぴったり合わせることができるので、多くの睡眠姿勢のもとに、頭部及び首部にぴったり合うように支持することができる。
【００１６】
また、本考案の枕は、さらに第三部分を含み、該第三部分が、第一表面及び第二表面を含み、前記第三部分の第一表面が前記頭部の支持部分に設置される時には、前記第二表面が第二水平支持部分及び第三水平支持部分と同じ水平線上に位置される。
【００１７】
前記構成の枕を採用して、使用者は、毎日休む時には、第三部分を取り外して、頭部の支持部分に頼って、半時間にあおむけに寝ることができる。これによって、脊椎の湾曲を回復することができる。睡眠する時には、第三部分を頭部の支持部分に設置する。この時には、前記第二表面が前記第一水平支持部分と同じ水平線上に位置される。これによって、睡眠する時には、無意識的に頭部を平面と凹槽とが接触される所に位置して、頸椎の歪みを引き起こすことを防止することができ、頸椎を保護するようになる。従って、睡眠者が横向きに寝ても、あおむけに寝ても、頭部及び首部が適切に支持されることができる。第三部分の第一表面が、人体の腰椎の形状と適応する形状に形成されるので、人が横たわっている時には、第三部分の第一表面を腰の下方に置き、ある程度において、腰椎の湾曲を支持することができる。これは、柔らかいヘッドに寝る人に有利である。
【００１８】
本考案のある実施例によって、第二部分は、空洞及び空洞を包囲するハウジングに形成されるスルーホールを含むので、枕がもっと弾性を有するとともに、睡眠する時に頭部の通気性を改善することに有利である。従って、第一部分は、通気性が優れる材料を選択することができ、あるいは、本体に多くのスルーホールを形成することができる。
【００１９】
もう一つの実施例において、第二部分は、更に底板を含むことができ、底板とハウジングとが結合して、ハウジングの内部を密封するようになる。これによって、簡単に空洞を形成することができ、コストを減少することができる。
【００２０】
もう一つの実施例によって、枕の高さを調節する高度調節装置を含むことができる。この高度調節装置が、第二部分の本体部分又は底板に設置されたた第一部品、及び第一部品と取り外しのできる第二部品を含む。第一部品が第二部品とねじで接続され、ねじの位置を調節することを通じて、枕の高さを調節することができる。もちろん、そのほかの適切な接続方式を採用することができる。この方式により、すばやく枕の高さを調節することができ、使用者の体の特徴（異なる肩の幅など）及び異なる使用する環境に適応するようになり、脊椎を同じな水平線に維持させる。第一部品が第二部分のハウジングに取り付けられれば、底板を取り外しても、高さを調節する機能に影響を与えない。従って、使用者が、自身の特徴によって、適切な高さを調節して快適な睡眠する効果を達成することができる。
【００２１】
本考案の枕は、専門の医学の研究及び試験によって、角度、弧度、高さが体とぴったりと合うように調節することを通じて、使用者の脊椎を全面的にゆるめ、休み、修復する状態にさせることができる。従って、毎日睡眠する時には、自然的に昼仕事の疲れから引き起こす脊椎の湾曲の損耗、側面に湾曲し、回転することを修復することができ、骨格及び筋肉をゆるめ、自然的な状態にさせ、正常に湾曲するように回復させる。
【図面の簡単な説明】
【００２２】
当業者は、図面及び該図面を参照すると説明する実施例によって、本考案の上記及びそのほかの目的、方式及び効果を、理解し、実現することができる。
【図１】本考案の実施例の枕の第一部分の立体図である。
【図２】本考案の実施例の枕の第一部分の側面図である。
【図３】本考案の実施例の枕の第三部分の立体図である。
【図４】本考案の実施例の枕の第三部分の側面図である。
【図５】本考案の実施例の枕の第一部分の立体図であり、第一部分の上表面に第三部分が置かれる。
【図６】本考案の実施例の枕の第二部分の立体図である。
【図７】高度調節装置が取り付けられる枕の第二部分の一つの実施例の立体図である。
【図８】高度調節装置が枕の第二部分の底板に取り付けられる立体図である。
【図９】図７に示す高度調節装置の一つの実施例の取り付ける略図である。
【考案を実施するための形態】
【００２３】
以下、図面を参照して、本考案の実施例の枕について説明する。次の実施例が、本考案を説明するために挙げる例であるが、本考案は、これらの実施例に制限されない。本考案の実質及び精神から遊離しない範囲において、いろいろな更正及び変形を行なうことができる。
【００２４】
図１を参照すると、枕の第一部分１は、頭部の支持部分１０及び第一首部の支持部分１１を含む。第一首部の支持部分１１が突起され、頭部の支持部分１０が落ち込む。第一首部の支持部分１１の水平高さが頭部の支持部分１０より高くて、第一首部の支持部分１１の持つ比例が頭部の支持部分１０より少ない。第一首部の支持部分１１が突起する高さ及び弧度は、人体が横たわる時に、頸椎の湾曲によって、設計することができる。例えば、第一首部の支持部分１１の最高点の高さが、底部から５〜８センチメートルに設置することができる。第一首部の支持部分１１は、枕の睡眠者の首筋部が頼られる方向から枕の外側に延びる傾斜状に形成されることもできる。これによって、睡眠者の首部が均一な支持力を受けることができる。
【００２５】
一つの実施例において、図２を参照すると、枕の第一部分１は、第一首部の支持部分１１と反対する側面に設置される第二首部の支持部分１１’を含む。第二首部の支持部分１１’の高さが、第一首部の支持部分１１より高い。第一首部の支持部分１１及び第二首部の支持部分１１’は、首部の支持部分を総称する。第一首部の支持部分１１が、第一傾斜突起部１１１を含む。第二首部の支持部分１１’が、第二傾斜突起部１１１’を含む。第一傾斜突起部１１１の傾きが、第二傾斜突起部１１１’の傾きより小さい。これによって、大きい範囲の異なる頸椎の長さを持つ人たちに適用することができる。
【００２６】
図１及び図２を参照すると、枕の頭部の支持部分１０の両側からそれぞれ左及び右へ延びて、第一水平支持部分１２が形成される。第一首部の支持部分１１の両側からそれぞれ左及び右へ延びて、第二水平支持部分１３が形成される。第一水平支持部分１２が、頭部の支持部分１０より高い。第二水平支持部分１３が、第一水平支持部分１２より高い。第二首部の支持部分１１’の両側からそれぞれ左及び右へ延びて、第三水平支持部分１３’が形成される。第三水平支持部分１３’が、第二首部の支持部分１１’より高く、第二水平支持部分１３よりも高い。
【００２７】
図１を示すように、枕の通気性を維持するために、第一部分１には、複数のスルーホール１４が形成される。スルーホール１４の直径が１ミリメートル〜５ミリメートルである。また、通気性が優れる材料で第一部分１を製造することもできる。従って、スルーホール１４が省略する、あるいは数量を減少することができる。
【００２８】
前記枕の形状を利用して、睡眠者があおむけに寝る時には、頭部及び首部が、自然的に頭部の支持部分１０及び第一首部の支持部分１１にぴったりと合わせる。横向きに寝る時には、第一水平支持部分１２が、頭部を良好に支持することができ、第二水平支持部分１３又は第三水平支持部分１３’が、首部を良好に支持することができ、脊椎を基本的に同じである水平線上に維持させることができる。
【００２９】
また、前記枕の形状は、使用者が毎日休む時には、頭部の支持部分１０に頼って、半時間、あおむけに寝るなら、ある程度において、脊椎の湾曲を回復することができる。
【００３０】
本考案の一つの実施例によって、図２を示すように、第二水平支持部分１３が内側の斜下方に底部まで延び、第三水平支持部分１３’が外側に底部まで延びる。また、第二水平支持部分１３が外側に底部まで延びて、第三水平支持部分１３’が内側の斜下方に底部まで延びることもできる。
【００３１】
前記構成によって、首を縮めて寝ることが好きな人が、内側に延びる第二水平支持部分１３に頼ることができ、首及び肩を内側に延びる第二水平支持部分１３とぴったりと合わせることができるので、頭部及び首部にぴったり合うように支持することができる。横向きに寝る時には、首をあおむけて寝ることが好きな人が、外側に延びる第三水平支持部分１３’に頼ることができ、首及び肩を外側に延びる第三水平支持部分１３’とぴったり合わせることができるので、頭部及び首部にぴったり合うように支持することができる。
【００３２】
本考案の一つの実施例によって、枕は、第三部分３を含むこともできる。図３及び図４は、枕の第三部分３が示される。該第三部分３がシート状であり、第一表面３１及び第二表面３２を含む。第三部分３の第一表面３１が突起して、突起する表面の形状が頭部の支持部分１０と適応して、第三部分３を頭部の支持部分１０に設置するようになる。第三部分３は、第一部分１の材料と同じである材料を採用することができ、第一部分１のスルーホール１４と近似するスルーホール３４が形成することもできる。
【００３３】
図５を参照すると、第三部分３の四つの辺を若干曲げて、第一表面３１が頭部の支持部分１０に設置される時には、該第三部分３の第二表面３２の各々の部分がそれぞれ、第一水平支持部分１２、第二水平支持部分１３及び第三水平支持部分１３’と同じ水平線上に位置するようになり、枕の上表面を基本的に平面状態にさせ、頭部が凹凸部に位置して、頸椎の歪みを引き起こすことを防止することができる。
【００３４】
横たわっている時には 頸椎の湾曲によって、腰部は臀部や胸背部より突き出ている支持のない懸架状態にある。これによって、設計する時には、本実施例の枕が頸椎を保護するとともに、腰椎も保護することを考えに入れる。従って、図４を示すように、第三部分３の第一表面３１の突起する表面が、人体の腰椎の形状と適応する形状を有する。人が横たわっている時には、第三部分３の第一表面３１を上に向かって腰の下方に置く。これによって、ある程度において、腰椎の湾曲を支持することができる。
【００３５】
図を示すような実施例において、第三部分３と第一部分１が離れて、実際の応用に応じて、第三部分３を第一部分１に置く、或いは取り外すことができる。
【００３６】
図６を参照すると、本考案の一つの実施例において、枕の第二部分２は、第一部分１の形状と近似して、頭部の支持部分２０、首部の支持部分２１、第一水平支持部分２２及び第二水平支持部分２３を含む。これらの部分の全部又は一部の位置に、スルーホール２４が設置することができる。スルーホール２４の大きさが１ミリメートル〜１０ミリメートルである。使用する時には、第二部分２が第一部分１の内部又は下方に設置される。
【００３７】
第二部分２の形状が枕の形状（第一部分１の形状）と異なってもよく、簡単な形状が形成される。例えば、表面が平面である。これによって、製造のコストを減少することができる。この時には、第二部分２が第一部分１の内部又は下方に設置することもできる。しかしながら、第二部分２の形状が第一部分１の形状と近似することは、第一部分１を均一に力を受けさせることができる。第一部分１の材料が柔らかい材料（ポリウレタンからなるスポンジ）であるので、第二部分２の平坦な表面は、第一部分の頼られる表面の各々の変形に耐えることができる。そして、第一部分１の材料の厚さの変化を通じて、頼られる表面の形状が形成すれば、材料が柔らかいので、頭部及び首部に元の第二部分２から提供する支持を提供しにくい。
【００３８】
図７を参照すると、枕の第二部分２の頭部の支持部分２０、首部の支持部分２１、第一水平支持部分２２及び第二水平支持部分２３により、ハウジングが形成される。該ハウジングの内部には、物を置くことに用いられるコンパートメント２５が形成される。コンパートメント２５が、第二部分２のハウジングの内側から下方に延びて形成されたグリル２５１である。モールドプレッシング及び射出成形などの方法でグリル２５１とハウジングとを一体成型させる。グリル２５１が交差される位置にネジ穴２６が設置することができ、ねじ２７を取り付けることができるので、グリル２５１を覆う風戸を取り付けることができる。これによって、グリル２５１を利用して、第二部分２のハウジングを支持することができ、薬物治療又は保健機能を持つ薬の包みなどを独立してコンパートメント２５に置くこともでき、薬の包みが破かれることが抑制できる。
【００３９】
図８を参照すると、第二部分２は、更に底板２８を含むことができ、底板２８とハウジングとが結合して、ハウジングの空洞を密封するようになる。これによって、各々のコンパートメント２５にそれぞれ風戸又は薬の包みを固定する装置を設置することを免れ、製造の工程を減少することができる。
【００４０】
図９は、枕の高さを調節する高度調節装置２９の取り付ける略図である。高度調節装置２９は、図７に示すハウジングのグリル２５１又は図８に示す底板２８に設置することができる。高度調節装置２９は、ハウジングのグリル２５１又は底板２８に設置された第一部品２９１（図９を参照）、及び第一部品２９１と取り外しのできる第二部品２９２を含む。図９を参照すると、第一部品２９１がグリル２５１の交差する位置に設置され、第二部品２９２とねじ接続である。図示はないにもかかわらず、当業者は、第一部品２９１が底板２８に形成され、ハウジングの方向に延びる柱状のものであり、該柱状のものの内部にねじ穴が形成され、該ねじ穴によって第二部品２９２とねじ接続することを理解できる。これによって、ねじの位置を調節することを通じて、枕の高さを調節することができる。
【００４１】
第一部品２９１がハウジングのグリル２５１に設置される時には、底板はなくても、枕の高さを調節することもできる。
【００４２】
異なる体を持つ人にとって、高度調節装置によって、脊椎を同じな水平線に便利に維持させる。
【００４３】
また、前記高度調節装置を設置することによって、第一部分１の第一水平支持部分１２の高さと第二水平支持部分１３の高さとを、異ならせる必要はない。
【００４４】
本考案の枕の第二部分２は、半硬質又は硬質材料を採用して製造することができ、例えば、ポリウレタンを採用して製造する。その硬度が頭部又は首部からもたらす圧力を支持することができる。第一部分１は、柔らかく、人体に無毒、無害の材料を採用して製造することができ、例えば、ポリウレタンを採用して製造する。これによって、異なる使用者の頭部及び睡眠習慣を適応することができ、睡眠者が寝る時には、基本的に正確な姿勢を維持させることができ、睡眠質量を高めて、頭部、肩及び首部を良好にゆるめ及び休ませる目的を実現することができる。
【００４５】
上述では本考案の実施例を開示したに過ぎず。この分野の技術者が、本考案の実施の形態を理解したうえ、本考案の思想を逸脱することなくさらに若干な変形と改善ができる。本考案のコンセプトに合う修飾的な変化は、本考案の実用新案登録請求の範囲に含まれるべきという。
【図１】
0003201160.tif 000003
【図２】
0003201160.tif 000004
【図３】
0003201160.tif 000005
【図４】
0003201160.tif 000006
【図５】
0003201160.tif 000007
【図６】
0003201160.tif 000008
【図７】
0003201160.tif 000009
【図８】
0003201160.tif 000010
【図９】
0003201160.tif 000011